(57)【要約】【課題】本発明は表示パネルの表示領域内に提供されるセンサを含む表示装置を提供し、その際、センサ配置による染みの発生を防止すると共に、製造工程でセンサの接着のために照射される紫外線の表示パネルへの入射を防止して、表示パネルの信頼性を向上した表示装置を提供する。【解決手段】本発明による表示装置は、光を放出する表示領域を含む表示パネルと、前記表示領域の背面に位置し、開口部を含む補助層と、前記開口部と重畳するセンサと、前記センサと前記補助層の間に位置する接着層と、を含む。【選択図】図１
2019185006.tif 000002
【特許請求の範囲】
【請求項１】
光を放出する表示領域を含む表示パネルと、
前記表示領域の背面に位置し、開口部を含む補助層と、
前記開口部と重畳するセンサと、
前記センサと前記補助層の間に位置する接着層と、を含む、ことを特徴とする表示装置。
【請求項２】
前記接着層は前記開口部と重畳しない、ことを特徴とする請求項１に記載の表示装置。
【請求項３】
前記センサは、平面上、前記開口部と完全に重畳しながら前記補助層の一部と重畳する、ことを特徴とする請求項１に記載の表示装置。
【請求項４】
前記補助層は紫外線吸収剤を含み、前記紫外線吸収剤はヒドロキシル基を含む、ことを特徴とする請求項１に記載の表示装置。
【請求項５】
前記接着層は、
前記表示パネルに向かう前記センサの一面と前記補助層の一面の間に位置する第１接着層と、
前記センサの側面及び前記補助層の一面と接する第２接着層と、を含む、ことを特徴とする請求項１に記載の表示装置。
【請求項６】
前記表示パネルの背面に位置するスクリーン印刷層をさらに含む、ことを特徴とする請求項１に記載の表示装置。
【請求項７】
表示領域を含む表示パネルと、
前記表示領域の背面に位置し、開口部を含む補助層と、
前記開口部と重畳するセンサと、
前記センサと前記表示パネルの間に位置する紫外線吸収フィルムと、を含む、ことを特徴とする表示装置。
【請求項８】
前記紫外線吸収フィルムの一面と前記センサの間に位置する接着層を含む、ことを特徴とする請求項７に記載の表示装置。
【請求項９】
前記表示パネルと前記紫外線吸収フィルムの間に位置する保護フィルムと、
前記保護フィルムと前記表示パネルの間に位置する接着層と、をさらに含む、ことを特徴とする請求項７に記載の表示装置。
【請求項１０】
表示領域を含む表示パネルと、
前記表示領域の背面に位置し、開口部を含む補助層と、
前記開口部と重畳するセンサと、
前記センサの側面と前記補助層の側面の間に位置する接着層と、を含み、前記接着層はテープである、ことを特徴とする表示装置。
【発明の詳細な説明】
【技術分野】
【０００１】
本発明は、表示装置に関する。
【背景技術】
【０００２】
情報化技術の発達に伴い使用者と情報との間の連結媒体である表示装置の市場が拡大している。このような表示装置は多様な形態で開発されているが、その中でも薄型化、軽量化、低消費電力化の優れた性能を有した表示装置として有機発光表示装置又は液晶表示装置が使用されている。
【０００３】
情報化機器の室外使用が増えることにより、表示装置が太陽光（紫外線を含む）に露出する時間はますます増加している。また、表示装置を製造する過程で紫外線を照射する作業が要求される場合も多くある。このように外部の紫外線が表示装置内部まで自由に透過すると有機物を含む発光層、絶縁膜又は薄膜トランジスタなどは深刻な損傷を受けることがある。
【発明の概要】
【発明が解決しようとする課題】
【０００４】
本発明は、表示パネルの表示領域内に提供されるセンサを含む表示装置を提供し、その際、センサ配置による染みの発生を防止すると共に、製造工程でセンサの接着のために照射される紫外線の表示パネルへの入射を防止して、表示パネルの信頼性を向上した表示装置を提供することを目的とする。
【課題を解決するための手段】
【０００５】
本発明の一実施形態による表示装置は、光を放出する表示領域を含む表示パネルと、前記表示領域の背面に位置し開口部を含む補助層と、前記開口部と重畳するセンサと、前記センサと前記補助層の間に位置する接着層と、を含む。
【０００６】
前記接着層は、前記開口部と重畳しなくてもよい。
前記センサは、平面上、前記開口部と完全に重畳しながら前記補助層の一部と重畳していてもよい。
前記補助層は、紫外線吸収剤を含んでもよい。
前記紫外線吸収剤は、ヒドロキシル基を含んでもよい。
前記紫外線吸収剤は、ベンゾフェノン（ｂｅｎｚｏｐｈｅｎｏｎｅ）系化合物、ベンゾトリアゾール（ｂｅｎｚｏｔｒｉａｚｏｌｅ）系化合物、ベンゾエート（ｂｅｎｚｏａｔｅ）系化合物、シアノアクリレート（ｃｙａｎｏａｃｒｙｌａｔｅ）系化合物、トリアジン（ｔｒｉａｚｉｎｅ）系化合物、オキサニリド（ｏｘａｎｉｌｉｄｅ）系化合物及びサリシレート（ｓａｌｉｃｙｌａｔｅ）系化合物のうち少なくとも一つを含んでもよい。
前記接着層は、前記表示パネルに向かう前記センサの一面と前記補助層の一面の間に位置する第１接着層と、前記センサの側面及び前記補助層の一面と接する第２接着層とを含んでもよい。
前記第１接着層はテープでありうる。
前記第１接着層及び前記第２接着層は、同一物質を含んでもよい。
前記表示装置は、前記表示パネルの背面に位置するスクリーン印刷層をさらに含んでもよい。
前記センサは、指紋認識センサ及び赤外線感知センサのうち少なくとも一つであってもよい。
【０００７】
一実施形態による表示装置は、表示領域を含む表示パネルと、前記表示領域の背面に位置し開口部を含む補助層と、前記開口部と重畳するセンサと、前記センサと前記表示パネルの間に位置する紫外線吸収フィルムと、を含む。
【０００８】
前記紫外線吸収フィルムの一面と前記センサの間に位置する接着層を含んでもよい。
前記表示パネルは可撓性でありうる。
前記表示パネルと前記紫外線吸収フィルムの間に位置する保護フィルムと、前記保護フィルムと前記表示パネルの間に位置する接着層と、をさらに含んでもよい。
前記接着層は、伝導性高分子を含んでもよい。
前記紫外線吸収フィルムはヒドロキシル基を含んでもよい。
前記紫外線吸収フィルムは、ベンゾフェノン（ｂｅｎｚｏｐｈｅｎｏｎｅ）系化合物、ベンゾトリアゾール（ｂｅｎｚｏｔｒｉａｚｏｌｅ）系化合物、ベンゾエート（ｂｅｎｚｏａｔｅ）系化合物、シアノアクリレート（ｃｙａｎｏａｃｒｙｌａｔｅ）系化合物、トリアジン（ｔｒｉａｚｉｎｅ）系化合物、オキサニリド（ｏｘａｎｉｌｉｄｅ）系化合物及びサリシレート（ｓａｌｉｃｙｌａｔｅ）系化合物のうち少なくとも一つを含んでもよい。
前記センサは、前記開口部と完全に重畳していてもよい。
【０００９】
一実施形態による表示装置は、表示領域を含む表示パネルと、前記表示領域の背面に位置し開口部を含む補助層と、前記開口部と重畳するセンサと、前記センサの側面と前記補助層の側面の間に位置する接着層と、を含み、前記接着層はテープである。
【発明の効果】
【００１０】
本発明によれば、表示領域の背面にセンサを表示パネルの表示領域と重畳するように位置させた場合に、センサを付着した接着層による染みの発生を防止できる。また、製造工程でセンサの接着のために照射される紫外線の表示パネルへの入射を防止して、表示パネルの信頼性を向上できる。
【図面の簡単な説明】
【００１１】
【図１】一実施形態による表示装置の断面図である。
【図２】一実施形態による表示装置の断面図である。
【図３】一実施形態による表示装置の断面図である。
【図４】一実施形態による表示装置の断面図である。
【図５】一実施形態による表示装置の断面図である。
【図６】一実施形態による表示装置の断面図である。
【図７】一実施形態による表示装置の断面図である。
【図８】一実施形態による表示装置の断面図である。
【図９】一実施形態による表示装置の断面図である。
【発明を実施するための形態】
【００１２】
以下、添付した図面を参照して本発明の様々な実施形態について本発明の属する技術分野における通常の知識を有する者が容易に実施できるように詳しく説明する。本発明は様々な異なる形態に実現でき、ここで説明する実施形態に限定されない。
【００１３】
本発明を明確に説明するために説明上不必要な部分は省略し、明細書全体にわたって同一又は類似の構成要素については同一な参照符号を付与する。
【００１４】
また、図面に示された各構成の大きさ及び厚さは説明の便宜のために任意に示しており、本発明は必ずしも図示されたものに限定されない。図面では様々な層及び領域を明確に表現するために厚さを拡大して示している。そして図面において、説明の便宜のために、一部の層及び領域の厚さを誇張して示している。
【００１５】
また、層、膜、領域、板などの部分が他の部分の“上に”あるというとき、これは他の部分の“直上に”ある場合だけでなく、その中間にまた他の部分がある場合も含む。逆に、ある部分が他の部分の“直上”にあるというときは、その中間に他の部分がないことを意味する。また、基準となる部分の“上に”あるというのは基準となる部分の上又は下に位置することであり、必ずしも重力反対方向に向かって“上に”位置することを意味しない。
【００１６】
また、明細書全体で、ある部分がある構成要素を“含む”というとき、これは特に反対になる記載がない限り、他の構成要素を除くのではなく他の構成要素をさらに含み得ることを意味する。
【００１７】
また、明細書全体で、“平面上”というとき、これは対象部分を上方から見た場合を意味し、“断面上”というとき、これは対象部分を垂直に切断した断面を側方から見た場合を意味する。
【００１８】
以下、図１を参照して一実施形態による表示装置について説明する。図１は、一実施形態による表示装置の概略的な断面図である。
【００１９】
一実施形態による表示装置は、光を放出する表示パネル１００、表示パネル１００の背面に位置する保護層４００、及びセンサ６００を含む。
【００２０】
一実施形態による表示パネル１００は固定平板型であるか、又はこれに限定されず、フレキシブル（ｆｌｅｘｉｂｌｅ、柔軟）、ストレッチャブル（ｓｔｒｅｔｃｈａｂｌｅ、引き延ばし可能）、フォルダブル（ｆｏｌｄａｂｌｅ、折り畳み可能）、ベンダブル（ｂｅｎｄａｂｌｅ、曲げ可能）、又はローラブル（ｒｏｌｌａｂｌｅ、回動可能」）であり得る。
【００２１】
表示パネル１００は、有機発光表示パネルであるか又は液晶表示パネルでありうる。表示パネル１００は基板、基板上に位置する複数の薄膜トランジスタ、及び複数の電極を含む。
本明細書では、表示パネル１００が有機発光表示パネル又は液晶表示パネルの実施例について説明したが、本発明はこれに限定されない。他の実施例による表示パネル１００は電気泳動表示パネル、電気湿潤表示パネルなどの場合もありうる。
【００２２】
一実施形態による表示パネル１００は、図１において＋Ｄ２方向に沿って光を放出する、光の放出はこの方向に限定されるわけではない。
保護層４００は、スクリーン印刷層４１１、第１補助層４２０及び第２補助層４３０を含む。実施例によってスクリーン印刷層４１１、第１補助層４２０及び第２補助層４３０のうち少なくとも一つは省略され得る。
【００２３】
スクリーン印刷層４１１は、表示パネル１００と接する。スクリーン印刷層４１１は、表示パネル１００が含む基板（一例として、ガラス基板）のスクラッチなどを防止する。実施形態によって表示パネル１００は、スクリーン印刷層４１１が省略され得る。
【００２４】
スクリーン印刷層４１１は、一例として、ポリエステル系化合物及び帯電防止剤を含んでもよい。帯電防止剤を通して表示パネル１００を静電気から保護できる。また、スクリーン印刷層４１１はこれに限定されず、バインダ、フィラ、硬化剤及びその他添加剤などをさらに含み得る。
【００２５】
第１補助層４２０及び第２補助層４３０は表示パネル１００、特に表示パネル１００の表示領域と重畳する。第１補助層４２０及び第２補助層４３０は、外部衝撃から表示パネル１００を保護する。本明細書では、第１補助層４２０及び第２補助層４３０が別途の層からなる実施例について説明したが、これらの内の何れか一つが省略され得、又は第１補助層４２０及び第２補助層４３０が同一層に提供され得る。
【００２６】
第１補助層４２０及び第２補助層４３０は高分子樹脂を含み得、アルミニウム、ＳＵＳ（Ｓｔｅｅｌ  Ｓｐｅｃｉａｌ  Ｕｓｅ  Ｓｔａｉｎｌｅｓｓ、ステンレス鋼材）のような金属を含み得る。一例として、第１補助層４２０は高分子樹脂を含み、第２補助層４３０は金属を含む。
【００２７】
前記高分子樹脂は、一例として、ポリウレタン（ｐｏｌｙｕｒｅｔｈａｎｅ）、ポリカーボネート（ｐｏｌｙｃａｒｂｏｎａｔｅ）、ポリプロピレン（ｐｏｌｙｐｒｏｐｙｌｅｎｅ）、ポリエチレン（ｐｏｌｙｅｔｈｙｌｅｎｅ）、及びポリエチレンテレフタレート（ｐｏｌｙｅｔｈｙｌｅｎｅｔｅｒｅｐｈｔｈａｌａｔｅ）のうち少なくとも一つを含み、一例としてゴム液、ウレタン系物質、又はアクリル系物質を発泡成形したスポンジの何れかを含むが、これに限定されない。第１補助層４２０及び第２補助層４３０は、各層をなす物質の発泡成形条件及び物質の混合比率によって第１補助層４２０及び第２補助層４３０の密度を制御できる。
【００２８】
一実施形態による第１補助層４２０は紫外線吸収剤を含む。前記紫外線吸収剤は、２００〜４００ｎｍ波長の紫外線を吸収する。
【００２９】
一実施形態による紫外線吸収剤は、ベンゾフェノン（ｂｅｎｚｏｐｈｅｎｏｎｅ）系化合物、ベンゾトリアゾール（ｂｅｎｚｏｔｒｉａｚｏｌｅ）系化合物、ベンゾエート（ｂｅｎｚｏａｔｅ）系化合物、シアノアクリレート（ｃｙａｎｏａｃｒｙｌａｔｅ）系化合物、トリアジン（ｔｒｉａｚｉｎｅ）系化合物、オキサニリド（ｏｘａｎｉｌｉｄｅ）系化合物及びサリシレート（ｓａｌｉｃｙｌａｔｅ）系化合物のうち少なくとも一つを含む。
【００３０】
前記ベンゾフェノン系化合物は、２，４−ジヒドロキシベンゾフェノン、２−ヒドロキシ−４−メトキシベンゾフェノン、２−ヒドロキシ−４−オクチルベンゾフェノン、４−ドデシルオキシ−２−ヒドロキシベンゾフェノン、４−ベンジルオキシ−２−ヒドロキシベンゾフェノン、２，２’，４，４’−テトラヒドロキシベンゾフェノン及び２，２’−ジヒドロキシ４，４’−ジメトキシベンゾフェノンのうち少なくとも一つを含むが、これに限定されない。
【００３１】
前記ベンゾトリアゾール系化合物は、２−（５−メチル−２−ヒドロキシフェニル）ベンゾトリアゾール、２−［２−ヒドロキシ−３，５−ビス（α，α−ジメチルベンジル）フェニル］−２Ｈ−ベンゾトリアゾール、２−（３，５−ジ−ｔ−ブチル−２−ヒドロキシフェニル）ベンゾトリアゾール、２−（３−ｔ−ブチル−５−メチル−２−ヒドロキシフェニル）−５−クロロベンゾトリアゾール、２−（３，５−ジ−ｔ−ブチル−２−ヒドロキシフェニル）−５−クロロベンゾトリアゾール、２−（３，５−ジ−ｔ−アシル−２−ヒドロキシフェニル）ベンゾトリアゾール及び２−（２’−ヒドロキシ５’−ｔ−オクチルフェニル）ベンゾトリアゾールのうち少なくとも一つを含むが、これに限定されない。
【００３２】
前記ベンゾエート系化合物は、２，４−ジ−ｔ−ブチルフェニル−３’，５’−ジ−ｔ−ブチル−４−ヒドロキシベンゾエートなどを含むが、これに限定されない。
【００３３】
前記トリアジン系化合物は、２−［４−［（２−ヒドロキシ−３−ドデシルオキシプロピル）オキシ］−２−ヒドロキシフェニル］−４，６−ビス（２，４−ジメチルフェニル）１，３，５−トリアジンを含むが、これに限定されない。
【００３４】
前記サリシレート系化合物は、フェニルサリシレート及び４−ｔ−ブチルフェニルサリシレートのうち少なくとも一つを含むが、これに限定されない。
前記紫外線吸収剤中のベンゾフェノン系化合物及びベンゾトリアゾール系化合物の化学式は、各々次の通りである。
【化１】
2019185006.tif 000003
【００３５】
前記化学式１において、Ｒ１は水素（Ｈ）、アルキル基（ａｌｋｙｌ  ｇｒｏｕｐ）、ヒドロキシル基（ｈｙｄｒｏｘｙｌ  ｇｒｏｕｐ）のうちの何れか一つであってもよく、Ｒ２は水素（Ｈ）、アルキル基（ａｌｋｙｌ  ｇｒｏｕｐ）、フェニル基（ｐｈｅｎｙｌ  ｇｒｏｕｐ）のうちの何れか一つであってもよく、Ｒ３は水素（Ｈ）、アルキル基（ａｌｋｙｌ  ｇｒｏｕｐ）のうちの何れか一つであってもよく、Ｒ４は水素（Ｈ）、アルコキシ基（ａｌｋｏｘｙ  ｇｒｏｕｐ）のうちの何れか一つであってもよい。
【化２】
2019185006.tif 000004
【００３６】
前記化学式２において、Ｒ５は水素（Ｈ）、アルキル基（ａｌｋｙｌ  ｇｒｏｕｐ）のうちの何れか一つであってもよい。
【００３７】
前記化学式１及び２からみるように、ベンゾフェノン系化合物及びベンゾトリアゾール系化合物は、ヒドロキシル基（−ＯＨ）を含む。前述した紫外線吸収剤は、ベンゾフェノン系化合物及びベンゾトリアゾール系化合物に限定されないが、ヒドロキシル基を含む。紫外線吸収剤が、水素結合の可能な作用基であるヒドロキシル基（−ＯＨ）を有する単分子物質を含むことによって、励起状態分子内プロトン移動（ｅｘｃｉｔｅｄ−ｓｔａｔｅ  ｉｎｔｒａｍｏｌｅｃｕｌａｒ  ｐｒｏｔｏｎ  ｔｒａｎｓｆｅｒ、ＥＳＩＰＴ）現象を通して外部から入射された紫外線を吸収できる。
【００３８】
具体的には、紫外線吸収剤の分子内には、ヒドロキシル基（−ＯＨ）に隣接して酸素（Ｏ）原子や窒素（Ｎ）原子のような非共有電子対を有する原子が存在し、ヒドロキシル基（−ＯＨ）と前記非共有電子対を有する原子の間で水素結合が形成される。この時、紫外線を吸収して励起状態に置かれた紫外線吸収剤は、励起された分子内でプロトンが移動する光互変異性化反応（ｐｈｏｔｏ−ｔａｕｔｏｍｅｒｉｚａｔｉｏｎ）を経ることになる。これによって、ヒドロキシル基（−ＯＨ）から水素（Ｈ）が抜けるようになり、安定した状態のケト型（ｋｅｔｏ  ｆｏｒｍ）分子になって熱放出が発生する。従って、紫外線吸収剤に入射された紫外線は熱エネルギー形態に変換して外部に放出されることによって、紫外線が表示パネル１００内部への入射を遮断できる。
【００３９】
センサ６００は使用者の生体認識情報、一例として、指紋又は虹彩を感知するセンサであるか又は赤外線感知センサのうち少なくとも一つを含む。また、センサ６００は、光方式センサ、超音波方式センサ、及び赤外線感知センサの何れかである。
【００４０】
センサ６００は、スクリーン印刷層４１１又は第１補助層４２０が有する第１開口部ＯＰ１と重畳する。第１開口部ＯＰ１は表示パネル１００と重畳し、特に表示パネル１００の表示領域と重畳する。
【００４１】
センサ６００の第１方向Ｄ１の幅Ｗ２は、第１開口部ＯＰ１の第１方向Ｄ１の幅Ｗ１より大きい。センサ６００は、平面上、第１開口部ＯＰ１と完全に重畳し、第１補助層４２０の一部とも重畳している。表示パネル１００の背面と平行なセンサ６００の一面の面積は、第１開口部ＯＰ１の面積より大きい。
【００４２】
センサ６００の第１方向Ｄ１の幅Ｗ２は、第２補助層４３０が有する第２開口部ＯＰ２の幅Ｗ３より小さい。センサ６００は、第２補助層４３０が有する第２開口部ＯＰ２に挿入された形態を有している。
【００４３】
接着層５００は、センサ６００と第１補助層４２０の間に位置する。接着層５００は、センサ６００を第１補助層４２０に結合する。その結果、センサ６００は、表示パネル１００に結合される。また、接着層５００は、第２補助層４３０の側面と接する。接着層５００はセンサ６００と重畳しない部分があり、第２開口部ＯＰ２に位置する。センサ６００と重畳しない接着層５００には、光硬化工程で表示装置に向かって照射される光が直接入射される。
【００４４】
センサ６００と第１補助層４２０が重畳する領域に接着層５００が位置することによって、センサ６００と第１補助層４２０を十分に結合する。接着層５００は、表示パネル１００に向かうセンサ６００の一面と第１補助層４２０を結合する。
【００４５】
本明細書では、接着層５００は平らな形態を有し、その上にセンサ６００が結合される実施形態を示している。しかし、これに限定されず、接着層５００は多様な厚さを有してもよく、一例として、センサ６００と接着層５００が重畳する領域に位置する接着層５００の厚さは、センサ６００と重畳しない領域に位置する接着層５００の厚さに比べて薄い。センサ６００を接着層５００と結合させる工程などによって接着層５００が一部加圧され得る。
【００４６】
一実施形態による接着層５００は、光学透明接着物質を含む。光学透明接着物質を含む接着層５００は、ＯＣＡ（ｏｐｔｉｃａｌｌｙ  ｃｌｅａｒ  ａｄｈｅｓｉｖｅ）又はＯＣＲ（ｏｐｔｉｃａｌｌｙ  ｃｌｅａｒ  ｒｅｓｉｎ）を含む。また、接着層５００はアクリル接着剤、シリコン接着剤及びウレタン接着剤のうち少なくとも一つを含み得る。
【００４７】
一例として、ＯＣＡを含む接着層５００は両面テープ形態に提供され得る。両面テープ形態に提供されるＯＣＡは、一部未硬化のモノマー又はオリゴマーを含み得る。未硬化のモノマー又はオリゴマーは、光学透明接着層を提供した以降に追加される紫外線硬化工程によって硬化される。
【００４８】
一例として、ＯＣＲを含む接着層５００は、液状の接着レジン形態に第１補助層４２０とセンサ６００の間に位置する。第１補助層４２０とセンサ６００の間に液状の接着レジンが提供された以後、追加される紫外線硬化工程によって硬化した接着層５００形態に変形される。
【００４９】
接着層５００をなす接着レジンは、未硬化の架橋反応基を含み得る。接着レジンは、紫外線光によって以後硬化できる物質を含み得る。例えば、接着層５００をなす接着レジンは、未硬化のオリゴマー又はモノマーを含む。未反応の架橋反応基は、紫外線硬化工程以降に架橋反応を起こして接着層５００の架橋度を高める。架橋反応基は光硬化できる反応基であり得る。また、接着レジンは開始剤を含み得て、開始剤は光開始剤であり得る。開始剤は、モノマー又はオリゴマーの追加重合反応を誘導する。
【００５０】
紫外線を照射して接着層５００を形成する工程で、接着層５００に照射される紫外線は第１補助層４２０に全て吸収される。これによって、紫外線が表示パネル１００の表示領域に入射されない。紫外線が表示パネル１００の表示領域に入射される場合、薄膜トランジスタや発光ダイオードの物性が変わり、表示装置の信頼性が低くなる恐れがある。
【００５１】
以下、図２及び図３を参照して、一実施形態による表示装置について説明する。図２及び図３は各々、一実施形態による表示装置の概略的な断面図である。以下、図１で説明した構成要素と同一又は類似の構成要素に対する具体的な説明は省略する。
【００５２】
図２を参照すれば、一実施形態による表示装置は、Ｄ２方向に光を放出する表示パネル１００、表示パネル１００の背面に位置する補助層４２０、４３０、表示パネル１００と補助層４２０、４３０の間に位置する接着層３２０及び保護フィルム３３０、センサ６００及びセンサ６００と補助層４２０、４３０を結合する接着層５００を含んでもよい。
【００５３】
一実施形態による表示パネル１００は、フレキシブル（ｆｌｅｘｉｂｌｅ）、ストレッチャブル（ｓｔｒｅｔｃｈａｂｌｅ）、フォルダブル（ｆｏｌｄａｂｌｅ）、ベンダブル（ｂｅｎｄａｂｌｅ）、又はローラブル（ｒｏｌｌａｂｌｅ）であり得る。
【００５４】
接着層３２０は、保護フィルム３３０と表示パネル１００の間に位置する。接着層３２０は導電性接着物質を含み得る。その場合の接着層３２０の面抵抗は、１０９Ω／ｃｍ２〜１０１２Ω／ｃｍ２であってもよい。
【００５５】
接着層３２０は、一例として、ポリ（３，４−エチレンジオキシチオフェン）：ポリ（スチレンスルホン酸）（ＰＥＤＯＴ：ＰＳＳ）、ポリ（パラ−フェニレンビニレン）（ＰＰＶ）、ＰＰＶ誘導体、ポリ（アセチレン）（ＰＡＣ）、ポリアニリン（ＰＡＮＩ）、ポリピロール及びポリ（チオフェン）のうち少なくとも何れか一つを含むことができるが、これに限定されるわけではない。
【００５６】
保護フィルム３３０は、接着層３２０と第１及び第２補助層４２０及び４３０の間に位置し、保護フィルム３３０は、表示パネル１００の強度を向上でき、可撓性を有する。
【００５７】
保護フィルム３３０はポリマーを含み得、一例として、ポリエステル（ＰＥＴ）を含むが、これに限定されない。
【００５８】
一実施形態による第１補助層４２０及び第２補助層４３０は、同じ大きさの開口部ＯＰを含む。開口部ＯＰは、表示パネル１００の表示領域と重畳する。
【００５９】
センサ６００は、接着層５００によって第２補助層４３０に結合される。本明細書では、センサ６００が第２補助層４３０に結合される実施形態について説明したが、これに限定されず、第２補助層４３０が省略される場合、第１補助層４２０に結合されることは言うまでもない。センサ６００と表示パネル１００の間には所定の離隔した空間Ａがある。
【００６０】
接着層５００は、第１接着層５１０及び第２接着層５２０を含む。
【００６１】
第１接着層５１０は、表示パネル１００に向かうセンサ６００の一面と接触する。また、第１接着層５１０は、センサ６００の一面と向き合う第２補助層４３０の一面と接触する。
【００６２】
一実施形態による第１接着層５１０はテープであり得る。両面テープ形態に提供される第１接着層５１０を含むことによって、センサ６００と第２補助層４３０は別途の光硬化工程なしに結合できる。
【００６３】
第２接着層５２０は、センサ６００の側面と第２補助層４３０の一面を結合する。第２接着層５２０は、センサ６００及び第２補助層４３０だけでなく、第１接着層５１０と接触する。
【００６４】
一実施形態による第２接着層５２０は、図１で説明した接着層５００と同一物質を含む。接着層５００をなす物質に対する具体的な説明は省略する。その場合、第２接着層５２０を硬化させるために、光硬化工程を行う。
【００６５】
一実施形態による第１補助層４２０及び第２補助層４３０のうち少なくとも一つは上述した紫外線吸収剤を含む。紫外線吸収剤に対する具体的な説明は省略する。
【００６６】
一実施形態による表示装置は、第２接着層５２０の硬化のために表示パネル１００に向かって紫外線を照射しても第１補助層４２０及び第２補助層４３０のうち少なくとも一つが含む紫外線吸収剤を通して紫外線を吸収することができる。従って、紫外線の表示パネル１００への入射を防止できる。
【００６７】
図３を参照すれば、一実施形態による表示パネル１００は、平板型表示パネル１００である。この場合、図２の実施形態とは異なり、接着層３２０及び保護フィルム３３０を含まず、スクリーン印刷層４１１を含む。他の構成要素に対する説明は図２と同じであるので、以下では省略する。
【００６８】
以下、図４及び図５を参照して一実施形態による表示装置について説明する。図４及び図５は各々、一実施形態による表示装置の概略的な断面図である。以下、上述した構成要素と同一類似の構成要素に対する具体的な説明は省略する。
【００６９】
図４を参照すれば、一実施形態による表示パネル１００は、フレキシブル（ｆｌｅｘｉｂｌｅ）、ストレッチャブル（ｓｔｒｅｔｃｈａｂｌｅ）、フォルダブル（ｆｏｌｄａｂｌｅ）、ベンダブル（ｂｅｎｄａｂｌｅ）、又はローラブル（ｒｏｌｌａｂｌｅ）であり得る。
【００７０】
一実施形態による接着層５００は、表示パネル１００に向かうセンサ６００の一面及び側面と接触する。また、接着層５００は、センサ６００の一面と向き合う第２補助層４３０の一面と接触する。
【００７１】
一実施形態による接着層５００は、図２で説明した第１接着層５１０又は第２接着層５２０と同一物質を含む。図２及び図３で説明した第１接着層５１０及び第２接着層５２０が同一物質からなる場合、図４に示されているように、一つの層をなす。
【００７２】
一実施形態による第１補助層４２０及び第２補助層４３０のうち少なくとも一つは上述した紫外線吸収剤を含む。紫外線吸収剤に対する具体的な説明は省略する。
【００７３】
一実施形態による表示装置は、接着層５００の硬化のために、表示パネル１００に向かって紫外線を照射しても第１補助層４２０及び第２補助層４３０のうち少なくとも一つが含む紫外線吸収剤を通して紫外線を吸収する。従って、紫外線の表示パネル１００への入射を防止できる。
【００７４】
図５を参照すれば、一実施形態による表示パネル１００は、平板型表示パネル１００である。この場合、図４の実施形態とは異なり、接着層３２０及び保護フィルム３３０を含まず、スクリーン印刷層４１１を含む。他の構成要素に対する説明は、上述した構成要素と同一であるので、以下では省略する。
【００７５】
次に、図６及び図７を参照して一実施形態による表示装置について説明する。図６及び図７は各々、一実施形態による表示装置に対する概略的な断面図である。上述した実施形態で説明した構成要素に対する説明は省略する。
【００７６】
図６を参照して、一実施形態による表示装置は、Ｄ２方向に光を放出する表示パネル１００、表示パネル１００の背面に位置する紫外線吸収フィルム３１０、紫外線吸収フィルム３１０の背面に位置するスクリーン印刷層４１１、第１、第２補助層４２０、４３０及びセンサ６００を含む。
【００７７】
一実施形態による表示パネル１００は平板型である。
【００７８】
一実施形態による紫外線吸収フィルム３１０は、表示パネル１００の前面と重畳する。紫外線吸収フィルム３１０は、２００〜４００ｎｍ波長の紫外線を吸収する紫外線吸収剤を含む。
【００７９】
前記紫外線吸収剤は、ベンゾフェノン（ｂｅｎｚｏｐｈｅｎｏｎｅ）系化合物、ベンゾトリアゾール（ｂｅｎｚｏｔｒｉａｚｏｌｅ）系化合物、ベンゾエート（ｂｅｎｚｏａｔｅ）系化合物、シアノアクリレート（ｃｙａｎｏａｃｒｙｌａｔｅ）系化合物、トリアジン（ｔｒｉａｚｉｎｅ）系化合物、オキサニリド（ｏｘａｎｉｌｉｄｅ）系化合物及びサリシレート（ｓａｌｉｃｉｌａｔｅ）系化合物のうち少なくとも一つを含む。
【００８０】
前記ベンゾフェノン系化合物は、２，４−ジヒドロキシベンゾフェノン、２−ヒドロキシ−４−メトキシベンゾフェノン、２−ヒドロキシ−４−オクチルベンゾフェノン、４−ドデシルオキシ−２−ヒドロキシベンゾフェノン、４−ベンジルオキシ−２−ヒドロキシベンゾフェノン、２，２’，４，４’−テトラヒドロキシベンゾフェノン、２，２’−ジヒドロキシ４，４’−ジメトキシベンゾフェノンのうち少なくとも一つを含むが、これに限定されない。
【００８１】
前記ベンゾトリアゾール系化合物は、２−（５−メチル−２−ヒドロキシフェニル）ベンゾトリアゾール、２−［２−ヒドロキシ−３，５−ビス（α，α−ジメチルベンジル）フェニル］−２Ｈ−ベンゾトリアゾール、２−（３，５−ジ−ｔ−ブチル−２−ヒドロキシフェニル）ベンゾトリアゾール、２−（３−ｔ−ブチル−５−メチル−２−ヒドロキシフェニル）−５−クロロベンゾトリアゾール、２−（３，５−ジ−ｔ−ブチル−２−ヒドロキシフェニル）−５−クロロベンゾトリアゾール、２−（３，５−ジ−ｔ−アシル−２−ヒドロキシフェニル）ベンゾトリアゾール、２−（２’−ヒドロキシ５’−ｔ−オクチルフェニル）ベンゾトリアゾールのうち少なくとも一つを含むが、これに限定されない。
【００８２】
前記ベンゾエート系化合物は、２，４−ジ−ｔ−ブチルフェニル−３’，５’−ジ−ｔ−ブチル−４−ヒドロキシベンゾエートを含むが、これに限定されない。
【００８３】
前記トリアジン系化合物は、２−［４−［（２−ヒドロキシ−３−ドデシルオキシプロピル）オキシ］−２−ヒドロキシフェニル］−４，６−ビス（２，４−ジメチルフェニル）１，３，５−トリアジンのうち少なくとも一つを含むが、これに限定されない。
【００８４】
前記サリシレート系化合物はフェニルサリシレート、４−ｔ−ブチルフェニルサリシレートを含むことができ、これに限定されない。
【００８５】
前記紫外線吸収剤中のベンゾフェノン系化合物及びベンゾトリアゾール系化合物の化学式は各々、次の通りである。
【化１】
2019185006.tif 000005
【００８６】
前記化学式１において、Ｒ１は水素（Ｈ）、アルキル基（ａｌｋｙｌ  ｇｒｏｕｐ）、ヒドロキシル基（ｈｙｄｒｏｘｙｌ  ｇｒｏｕｐ）のうちの何れか一つであり、Ｒ２は水素（Ｈ）、アルキル基（ａｌｋｙｌ  ｇｒｏｕｐ）、フェニル基（ｐｈｅｎｙｌ  ｇｒｏｕｐ）のうちの何れか一つであり、Ｒ３は水素（Ｈ）、アルキル基（ａｌｋｙｌ  ｇｒｏｕｐ）のうちの何れか一つであり、Ｒ４は水素（Ｈ）、アルコキシ基（ａｌｋｏｘｙ  ｇｒｏｕｐ）のうちの何れか一つである。
【化２】
2019185006.tif 000006
【００８７】
前記化学式２において、Ｒ５は水素（Ｈ）、アルキル基（ａｌｋｙｌ  ｇｒｏｕｐ）のうちの何れか一つである。
【００８８】
一実施形態による接着層５００及びセンサ６００は、第１補助層４２０及び第２補助層４３０の開口部ＯＰと重畳しており、好ましくは図示したように、接着層５００及びセンサ６００は、第１補助層４２０及び第２補助層４３０の開口部ＯＰ内に位置している。開口部ＯＰは表示領域と重畳しており、接着層５００及びセンサ６００も表示領域と重畳している。
【００８９】
接着層５００は、紫外線吸収フィルム３１０とセンサ６００を結合する。接着層５００は、図１で説明した接着層５００と同一物質を含む。
【００９０】
紫外線吸収フィルム３１０とセンサ６００を結合するためには、接着層５００をなす接着物質に対する光硬化工程が必要である。光硬化工程では表示装置に向かって紫外線が照射される。紫外線が表示パネル１００の薄膜トランジスタ及び／又は発光ダイオードに照射される場合、薄膜トランジスタ及び／又は発光ダイオードに損傷を与える。しかし、一実施形態による表示装置は紫外線吸収フィルム３１０を含むので、表示パネル１００の方向に入射する紫外線を遮断して表示パネル１００の信頼性を維持できる。
【００９１】
次に、図７を参照すれば一実施形態による表示装置は、表示パネル１００と紫外線吸収フィルム３１０の間に位置する接着層３２０及び保護フィルム３３０をさらに含む。
一実施形態による表示パネル１００は可撓性を有するパネルである。表示パネル１００は、フレキシブル（ｆｌｅｘｉｂｌｅ）、ストレッチャブル（ｓｔｒｅｔｃｈａｂｌｅ）、フォルダブル（ｆｏｌｄａｂｌｅ）、ベンダブル（ｂｅｎｄａｂｌｅ）、又はローラブル（ｒｏｌｌａｂｌｅ）であり得る。
【００９２】
これを除いた残りの構成要素に対する説明は図６と同一であるので、以下では省略する。
【００９３】
以下、図８及び図９を参照して一実施形態による表示装置について説明する。図８及び図９は各々、一実施形態による表示装置の概略的な断面図である。
【００９４】
図８を参照すれば一実施形態による表示装置は、Ｄ２方向に光を放出する表示パネル１００、表示パネル１００の背面に位置するスクリーン印刷層４１１、補助層４２０、４３０及びセンサ６００を含む。一実施形態による表示パネル１００は平板型である。
【００９５】
スクリーン印刷層４１１、第１補助層４２０及び第２補助層４３０は、実質的に同じ大きさの開口部ＯＰを含む。センサ６００は開口部ＯＰ内に挿入される。開口部ＯＰは表示領域と重畳しており、開口部ＯＰ内に挿入されたセンサ６００は表示領域と重畳している。
【００９６】
センサ６００はセンサ６００の側面と、第１補助層４２０の側面及び第２補助層４３０の側面とを結合する接着層５００を通じて表示パネル１００に結合される。一実施形態による接着層５００は両面テープである。両面テープ形態の接着層５００は、互いに向き合うセンサ６００の側面と第１補助層４２０の側面を結合し、センサ６００の一面と第２補助層４３０の側面を結合する。
【００９７】
本明細書では、接着層５００が第１補助層４２０及び第２補助層４３０の側面と重畳する構成を開示しているが、これに限定されず、接着層５００はスクリーン印刷層４１１、第１補助層４２０及び第２補助層４３０のうち少なくとも一つと重畳している場合もある。スクリーン印刷層４１１、第１補助層４２０及び第２補助層４３０と重畳するセンサ６００の面積によって接着層５００の面積は異なり得る。
【００９８】
一実施形態によるセンサ６００は、第１補助層４２０及び第２補助層４３０と重畳し、スクリーン印刷層４１１とは重畳しない。これによって、センサ６００と表示パネル１００の間にはスクリーン印刷層４１１の厚さほどの離隔空間Ａが形成される。
【００９９】
ただしこれに限定されず、センサ６００がスクリーン印刷層４１１とも重畳する場合、接着層５００はスクリーン印刷層４１１と重畳し、離隔空間がない。
【０１００】
図９を参照すれば一実施形態による表示装置は、Ｄ２方向に向かって光を放出する表示パネル１００、表示パネル１００の背面に位置する接着層３２０及び保護フィルム３３０、保護フィルム３３０の背面に位置する第１補助層４２０、及び第２補助層４３０を含む。
【０１０１】
一実施形態による表示パネル１００は、可撓性を有するパネルである。表示パネル１００は、フレキシブル（ｆｌｅｘｉｂｌｅ）、ストレッチャブル（ｓｔｒｅｔｃｈａｂｌｅ）、フォルダブル（ｆｏｌｄａｂｌｅ）、ベンダブル（ｂｅｎｄａｂｌｅ）、又はローラブル（ｒｏｌｌａｂｌｅ）であり得る。
【０１０２】
表示パネル１００と補助層４２０、４３０の間に位置する接着層３２０及び保護フィルム３３０は、可撓性を有する表示パネル１００を保護する層である。接着層３２０及び保護フィルム３３０に対する説明は上述したとおりであるので、以下では省略する。
【０１０３】
第１補助層４２０及び第２補助層４３０は、実質的に同じ大きさの開口部ＯＰを含む。センサ６００は開口部ＯＰ内に挿入される。開口部ＯＰは表示領域と重畳し、開口部ＯＰと重畳するセンサ６００も表示領域と重畳する。
【０１０４】
センサ６００の側面と、第１補助層４２０及び第２補助層４３０の側面とを結合する接着層５００を通じてセンサ６００と補助層４２０、４３０が結合される。一実施形態による接着層５００は両面テープである。
【０１０５】
本明細書では、接着層５００が第１補助層４２０及び第２補助層４３０の側面と重畳する構成を開示しているが、これに限定されず、接着層５００は第１補助層４２０及び第２補助層４３０のうち少なくとも一つと重畳している場合もある。第１補助層４２０及び第２補助層４３０と重畳するセンサ６００の面積によって接着層５００の面積は異なり得る。
【０１０６】
一実施形態による接着層５００及びセンサ６００は保護フィルム３３０と接触する。接着層５００と保護フィルム３３０の間、そしてセンサ６００と保護フィルム３３０の間には離隔した空間がない。
【０１０７】
一実施形態による表示装置は、表示領域内に配置されるセンサを含む。従来、一般にセンサを表示パネルに接着させる工程では、紫外線が表示パネルに向かって照射される。紫外線が表示パネルに入射する場合、薄膜トランジスタ又は発光ダイオードの物性が変わって表示装置の信頼性が低下する問題があり得る。一実施形態による表示装置は、補助層が紫外線吸収剤を含むことによって、表示パネル方向に入射する紫外線を吸収するか又は紫外線吸収フィルムを提供することによって、表示パネル方向に入射する紫外線を吸収して表示装置の信頼性を維持できる。
又は、一実施形態による表示装置は、光硬化性接着層でない両面テープなどを使用して、紫外線照射工程なしにセンサを表示パネルに結合することにより、表示装置の信頼性を維持できる。
【０１０８】
以上、本発明の実施形態について詳細に説明したが、本発明の権利範囲は、これに限定されるものではなく、以下の特許請求の範囲で定義している本発明の基本概念を利用した当業者の様々な変形及び改良形態も本発明の権利範囲に属することは当然である。
【符号の説明】
【０１０９】
１００      表示パネル
３１０      紫外線吸収フィルム
３２０      接着層
３３０      保護フィルム
４００      保護層
４１１      スクリーン印刷層
４２０、４３０      第１、第２補助層
５００      接着層
５１０、５２０      第１、第２接着層
６００      センサ
【図１】
2019185006.tif 000007
【図２】
2019185006.tif 000008
【図３】
2019185006.tif 000009
【図４】
2019185006.tif 000010
【図５】
2019185006.tif 000011
【図６】
2019185006.tif 000012
【図７】
2019185006.tif 000013
【図８】
2019185006.tif 000014
【図９】
2019185006.tif 000015